(57)【要約】      （修正有）【課題】空気を除菌して排出することができる空気清浄装置を提供する。【解決手段】空気清浄装置１０は、オゾンを発生するための放電に用いられる放電電極１１ａ，１１ｂと、放電電極１１ａ，１１ｂに加わる電圧を調整することにより放電によるオゾンの発生量を制御する制御部１２とを備える。また、空気清浄装置１０は、空気、及び、放電によって発生したオゾンが通る流路を形成するダクト（第一構造体）１３と、流路を通過した空気及びオゾンの混合を促進する遠心分離器（第二構造体）１４とを備える。【選択図】図１
2017129330.tif 000002
【特許請求の範囲】
【請求項１】
オゾンを発生するための放電に用いられる電極と、
前記電極に加わる電圧を調整することにより前記放電による前記オゾンの発生量を制御する制御部と、
空気、及び、前記放電によって発生した前記オゾンが通る流路を形成する第一構造体と、
前記流路を通る前記空気及び前記オゾンの混合を促進する第二構造体とを備える
空気清浄装置。
【請求項２】
前記第二構造体は、前記流路を通過した前記空気及び前記オゾンの混合を促進し、かつ、前記流路を通過した前記空気に含まれる塵を遠心分離する遠心分離器である
請求項１に記載の空気清浄装置。
【請求項３】
前記第二構造体は、前記流路内の前記空気及び前記オゾンの流れを部分的に妨げる、前記第一構造体の内壁に立設された板材である
請求項１に記載の空気清浄装置。
【請求項４】
さらに、
前記流路を通過した気体が排出される排気口と、
前記排気口から排出される気体のオゾン濃度をセンシングするセンサとを備え、
前記制御部は、前記センサのセンシング結果に応じて、前記オゾンの発生量を制御する
請求項１〜３のいずれか１項に記載の空気清浄装置。
【請求項５】
前記制御部は、前記気体のオゾン濃度が０．１ｐｐｍ以上０．５ｐｐｍ以下となるように前記オゾンの発生量を制御する
請求項４に記載の空気清浄装置。
【請求項６】
前記空気清浄装置は、さらに、前記放電によって帯電した、前記空気に含まれる塵を集めるための集塵電極を備える
請求項１〜５のいずれか１項に記載の空気清浄装置。
【発明の詳細な説明】
【技術分野】
【０００１】
本発明は、空気を除菌することができる空気清浄装置に関する。
【背景技術】
【０００２】
従来、室内空気などの気体中に浮遊する微小粒子状物質などの粒子を帯電させて、帯電した当該粒子を電圧が印加された集塵電極によって捕集する電気掃除機が知られている。
【０００３】
例えば、特許文献１に記載された電気掃除機は、塵埃中の粒子の凝集を促し、粒子径を大きくすることが可能な塵埃凝集路を備える。
【先行技術文献】
【特許文献】
【０００４】
【特許文献１】特開２００８−１１０３２９号公報
【発明の概要】
【発明が解決しようとする課題】
【０００５】
ところで、上記のような電気掃除機が排出する空気は、衛生上、十分に除菌されていることが望ましい。
【０００６】
本発明は、空気を除菌して排出することができる空気清浄装置を提供することを目的とする。
【課題を解決するための手段】
【０００７】
本発明の一態様に係る空気清浄装置は、オゾンを発生するための放電に用いられる電極と、前記電極に加わる電圧を調整することにより前記放電による前記オゾンの発生量を制御する制御部と、空気、及び、前記放電によって発生した前記オゾンが通る流路を形成する第一構造体と、前記流路を通る前記空気及び前記オゾンの混合を促進する第二構造体とを備える。
【発明の効果】
【０００８】
本発明の空気清浄装置は、空気を除菌して排出することができる。
【図面の簡単な説明】
【０００９】
【図１】図１は、実施の形態１に係る空気清浄装置の構成を示す概略図である。
【図２】図２は、変形例１に係る空気清浄装置の構成を示す概略図である。
【図３】図３は、変形例２に係る空気清浄装置の構成を示す概略図である。
【図４】図４は、実施の形態２に係る空気清浄装置の構成を示す概略図である。
【図５】図５は、可搬型の空気清浄装置の外観図である。
【図６】図６は、電気掃除機の外観図である。
【図７】図７は、ロボット型掃除機の外観図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［構成］
まず、実施の形態１に係る空気清浄装置の構成について説明する。図１は、実施の形態１に係る空気清浄装置の概略図（模式断面図）である。
【００１３】
図１に示されるように、実施の形態１に係る空気清浄装置１０は、放電電極１１ａと、基準電極１１ｂと、制御部１２と、ダクト１３と、遠心分離器１４と、ダストカップ１５と、ファン１６と、センサ１７とを備える。
【００１４】
放電電極１１ａは、オゾンを発生するための放電に用いられる電極である。放電電極１１ａは、グラウンド電位（基準電位）となる基準電極１１ｂと対向配置される。オゾンを発生するための放電は、放電電極１１ａと基準電極１１ｂとの間で起きる。図１では、放電電極１１ａ及び基準電極１１ｂは、ダクト１３内部（ダクト１３により形成される流路内）に配置されているが、ダクト１３の外部に配置されてもよい。
【００１５】
放電電極１１ａに、基準電極１１ｂに対して負の電圧または正の電圧が印加されることにより、放電電極１１ａと基準電極１１ｂとの間で放電が起きる。この放電によりオゾンが発生する。オゾンを発生する放電は、例えば、コロナ放電である。
【００１６】
放電電極１１ａ及び基準電極１１ｂのそれぞれは、例えば、タングステンまたはステンレスなどの金属により形成される。放電電極１１ａ及び基準電極１１ｂのそれぞれは、例えば棒状であるが、特に限定されない。放電電極１１ａ及び基準電極１１ｂのそれぞれは、平板状であってもよいし、針状であってもよい。また、放電電極１１ａ及び基準電極１１ｂの一方が棒状で、他方が平板状など、放電電極１１ａと基準電極１１ｂとは同じ形状でなくてもよい。
【００１７】
放電電極１１ａと基準電極１１ｂとの間隔（放電が生じる部分の間隔）は、例えば、数ｍｍ程度である。放電電極１１ａと基準電極１１ｂとの電位差は、例えば、１０ｋＶである。
【００１８】
なお、空気清浄装置１０は、放電電極１１ａ、及び、基準電極１１ｂをそれぞれ複数備えてもよい。放電電極１１ａの数、及び、基準電極１１ｂの数は、特に限定されない。空気清浄装置１０が放電電極１１ａを複数備える場合、１つの基準電極１１ｂが複数の放電電極１１ａで共用されてもよい。放電電極１１ａの数と基準電極１１ｂの数とは異なってもよい。
【００１９】
制御部１２は、放電電極１１ａに加わる電圧を調整することにより放電によるオゾンの発生量を制御する。制御部１２は、より具体的には、センサ１７のセンシング結果に応じてオゾンの発生量を制御する。なお、放電電極１１ａと基準電極１１ｂとの電圧差が大きくなるほど、オゾンの発生量は増加する。また、電圧の印加時間（電圧のパルス幅）が長くなるほど、オゾンの発生量は増加する。
【００２０】
制御部１２は、具体的には、放電電極１１ａ及び基準電極１１ｂに電圧を印加する高圧電源回路及びその制御回路などである。高圧電源回路としては、所望の直流電圧を出力できる任意の電圧源が用いられるとよい。また、制御回路に代えて、マイクロコンピュータまたはプロセッサなどが用いられてもよい。
【００２１】
ダクト１３は、第一構造体の一例であって、空気、及び、放電電極１１ａを用いた放電によって発生したオゾンが通る流路を形成する。ダクト１３は、例えば、管状部材である。なお、空気清浄装置１０に用いられる第一構造体は、ダクト１３のような管状部材に限定されず、流路を形成するのであればどのような形状であってもよい。
【００２２】
ダクト１３を構成する材料は、特に限定されない。例えば、ダクト１３は樹脂などの絶縁材料から構成される。ダクト１３が絶縁材料から構成されることによって、ダクト１３と、放電電極１１ａなどとの間の放電を抑制することができる。
【００２３】
ダクト１３の一方の端部は吸気口１３ａであり、ダクト１３の内部には、吸気口１３ａから空気が導入される。ダクト１３の内部には、放電電極１１ａ及び基準電極１１ｂが設けられる。ダクト１３の内部で空気とオゾンとがよく混ざるように、放電電極１１ａ及び基準電極１１ｂは、吸気口１３ａ寄りに配置され、流路長が確保されるとよい。これにより、オゾンによる空気の除菌効果（殺菌効果）を高めることができる。
【００２４】
また、ダクト１３の他方の端部は、排気口１３ｂである。排気口１３ｂは、流路を通過した気体が排出される開口部である。排気口１３ｂには、遠心分離器１４の吸気口１４ａが接続される。
【００２５】
遠心分離器１４（粉体分離器）は、第二構造体の一例であり、ダクト１３によって形成された流路を通る空気及びオゾンの混合を促進する。遠心分離器１４は、具体的には、上記流路を通過した後の空気及びオゾンの混合を促進する。また、遠心分離器１４は、上記流路を通過した空気に含まれる塵（塵埃）を遠心分離する。
【００２６】
遠心分離器１４の上部は、略円筒体であり、遠心分離器の下部は、下方に向かうほど縮径する円錐台状の筒体である。遠心分離器１４は、例えば、樹脂により形成されるが、金属によって形成されてもよい。遠心分離器１４は、吸気口１４ａと、塵排出口１４ｂと、排気口１４ｃとを有する。
【００２７】
吸気口１４ａは、流路を通過した空気及びオゾンが注入される開口部である。吸気口１４ａは、遠心分離器１４の上部の側面に設けられ、ダクト１３の排気口１３ｂと連通する。吸気口１４ａから注入された空気及びオゾンは、ファン１６の吸引により、遠心分離器１４内で渦巻状の気流となる。
【００２８】
これにより、空気及びオゾンが十分に混合（撹拌）され、オゾン分子と、空気に含まれる菌との衝突確率（衝突回数）を高めることができる。つまり、遠心分離器１４によれば、高い除菌効果が得られる。
【００２９】
また、空気清浄装置１０が遠心分離器１４を備える場合には、空気清浄装置１０が遠心分離器１４を備えない場合に比べて、遠心分離器１４相当分、空気及びオゾンが排出されるまでの流路が延長される。これによっても空気及びオゾンが十分に混合され、オゾン分子と、空気に含まれる菌との衝突確率が高められる。
【００３０】
一方、空気に含まれる塵は、比重が重いため、回転による遠心力によって、遠心分離器１４の内側壁に衝突する。
【００３１】
内側壁に衝突した塵は、摩擦によって回転運動エネルギーを失い、重力によって下方に落下する。その後、落下した塵が再び気流に乗ることで、再度回転し、当該回転による遠心力によって内側壁に衝突する。このようなプロセスの繰り返しにより、塵は螺旋状に回転しながら下方に落下する。
【００３２】
ここで、上述のように、遠心分離器１４の下部は、下方に向かうほど縮径する円錐台状の筒体である。このため、遠心分離器１４の下部では回転運動エネルギーは小さくなる。このため、塵は、浮上する力を失い、塵排出口１４ｂを通じて、ダストカップ１５に落下する。塵排出口１４ｂは、遠心分離器１４の下端部に設けられ、分離された塵が排出される開口部である。塵排出口１４ｂには、ダストカップ１５が着脱自在に取り付けられる。
【００３３】
ダストカップ１５は、有底円筒状であり、遠心分離器１４から排出される（落下する）塵を受ける。ダストカップ１５は、樹脂により形成されてもよいし、金属により形成されてもよい。
【００３４】
一方、空気及びオゾンは、排気口１４ｃに取り付けられたファン１６の吸引力により、排気口１４ｃ及びファン１６を通じて遠心分離器１４の外部に排出される。排気口１４ｃは、遠心分離器１４の上端部に設けられ、塵が分離された空気（流路を通過した気体）が排出される開口部である。
【００３５】
以上説明したように、遠心分離器１４は、空気と塵とを分離することができる。
【００３６】
ファン１６は、空気清浄装置１０の外部から空気清浄装置１０の内部に空気を導くための装置である。ファン１６は、遠心分離器１４の排気口１４ｃに取り付けられ、空気の吸引を行うことにより、吸気口１３ａを通じてダクト１３内に空気を取り込む。また、ファン１６は、遠心分離器１４によって塵が分離された気体を空気清浄装置１０の外部に排出する。ファン１６は、具体的には、例えば、遠心ファンなどである。
【００３７】
なお、ファン１６の配置は、特に限定されない。例えば、ファン１６は、ダクト１３の吸気口１３ａに取り付けられてもよい。ファン１６が排気口１４ｃに取り付けられる場合、ファン１６を通過する空気は塵が分離されているため、ファン１６に塵が溜まることを抑制することができる。
【００３８】
センサ１７は、遠心分離器１４から排出される気体のオゾン濃度をセンシングする。センサ１７は、例えば、紫外線吸収法を用いたセンサである。紫外線吸収法は、オゾンが２５４ｎｍ付近の波長の光（紫外線）を吸収する性質を利用する方法である。
【００３９】
センサ１７は、薄膜半導体法を用いたセンサであってもよい。薄膜半導体法は、白金薄膜ヒーターによって一定温度に保たれた半導体薄膜の抵抗値がオゾンの吸着により増大することを利用する方法である。また、センサ１７は、隔膜ポーラログラフ法または検知管法などを用いたセンサであってもよい。
【００４０】
空気清浄装置１０では、センサ１７は、ファン１６から排出される気体のオゾン濃度をセンシングする。センサ１７は、ダクト１３から排出される気体のオゾン濃度を測定できればよく、排気口１４ｃなど、遠心分離器１４内に配置されてもよい。
【００４１】
オゾンは、臭いのある気体であり、かつ、人体に有害である。そこで、制御部１２がセンサ１７の検知結果に基づいて、オゾンの発生量を制御することで、オゾンの人体への影響の低減と、除菌効果とを両立させることができる。制御部１２は、具体的には、遠心分離器１４（またはダクト１３）から排出される気体のオゾン濃度が０．１ｐｐｍ（ｐａｒｔｓ  ｐｅｒ  ｍｉｌｌｉｏｎ）以上０．５ｐｐｍ以下となるようにオゾンの発生量を制御するとよい。
【００４２】
以上説明したように、遠心分離器１４によれば、空気及びオゾンが十分に混合され、オゾン分子と、空気に含まれる菌との衝突確率を高めることができる。つまり、遠心分離器１４によれば、高い除菌効果が得られる。
【００４３】
［実施の形態１の変形例１］
放電電極１１ａを用いた放電によれば、空気に含まれる塵が帯電する。そこで、空気清浄装置は、帯電した塵を集めるための集塵電極を備えてもよい。以下、集塵電極を備える空気清浄装置（以下、変形例１に係る空気清浄装置とも記載する）について説明する。図２は、変形例１に係る空気清浄装置の構成を示す概略図である。なお、以下の変形例１の説明では、上記実施の形態１で説明された事項については詳細な説明が省略される場合がある。
【００４４】
図２に示されるように、変形例１に係る空気清浄装置１０ａは、集塵電極１８ａ、基準電極１８ｂ、及び集塵電極１８ｃを備える点が空気清浄装置１０と異なる。なお、集塵電極の数、及び、基準電極の数は一例であり、特に限定されない。
【００４５】
集塵電極１８ａは、放電電極１１ａを用いた放電によって帯電した塵を集めるための電極である。集塵電極１８ａは、グラウンド電位（基準電位）となる基準電極１８ｂと対向配置される。図２では、集塵電極１８ａ及び基準電極１８ｂは、ダクト１３内部（ダクト１３により形成される流路内）に、放電電極１１ａ及び基準電極１１ｂよりも排気口１３ｂ寄りに配置される。
【００４６】
集塵電極１８ａに、基準電極１８ｂに対して負の電圧または正の電圧が印加されることにより、集塵電極１８ａと基準電極１８ｂとの間に電界が生じる。例えば、塵が正に帯電しているときには、集塵電極１８ａに基準電極１８ｂに対して負の電圧が印加されることによって、帯電した塵が集塵電極１８ａに付着する。また、例えば、塵が負に帯電しているときには、集塵電極１８ａに基準電極１８ｂに対して正の電圧が印加されることによって、帯電した塵が集塵電極１８ａに付着する。
【００４７】
集塵電極１８ａ及び基準電極１８ｂのそれぞれは、例えば、タングステンまたはステンレスなどの金属により形成される。集塵電極１８ａ及び基準電極１８ｂのそれぞれは、例えば、平板状であり、流路が延伸する方向と直交する方向において主面同士が対向するように配置される。
【００４８】
なお、集塵電極１８ａ及び基準電極１８ｂのそれぞれは、棒状であってもよいし、針状であってもよい。また、集塵電極１８ａ及び基準電極１８ｂの一方が棒状で、他方が平板状など、集塵電極１８ａと基準電極１８ｂとは同じ形状でなくてもよい。
【００４９】
例えば、集塵電極１８ａと基準電極１８ｂとの間隔（流路が延伸する方向と直交する方向における間隔）が２０ｍｍの場合、集塵電極１８ａと基準電極１８ｂとの電位差は、１０ｋＶ程度である。
【００５０】
集塵電極１８ｃは、集塵電極１８ａ及び基準電極１８ｂと、流路が延伸する方向と直交する方向において並んで配置される。基準電極１８ｂは、集塵電極１８ａと集塵電極１８ｃとの間に配置される。集塵電極１８ｃは、配置を除いて集塵電極１８ａと同様の構成であるため詳細な説明が省略される。なお、空気清浄装置１０ａにおいては、１つの基準電極１８ｂが、集塵電極１８ａ及び集塵電極１８ｃによって共用されているが、１つの集塵電極に対して１つの基準電極が設けられてもよい。
【００５１】
以上説明したように、空気清浄装置１０ａは、集塵電極１８ａ、基準電極１８ｂ、及び集塵電極１８ｃを備える。これにより、放電電極１１ａを用いた放電によって帯電した塵を集めることができる。つまり、空気中の塵を減らすことができる。
【００５２】
［実施の形態１の変形例２］
オゾンの発生量は、ユーザによって変更可能であってもよい。また、ファン１６に加えて（またはファン１６に代えて）ダクト１３の吸気口１３ａにファンが配置されてもよい。
【００５３】
以下、このような空気清浄装置（以下、変形例２に係る空気清浄装置とも記載する）について説明する。図３は、変形例２に係る空気清浄装置の構成を示す概略図である。なお、以下の変形例２の説明では、上記実施の形態１（変形例１を含む）で説明された事項については詳細な説明が省略される場合がある。
【００５４】
図３に示される空気清浄装置１０ｂは、ファン１９と、入力受付部２０とを備える点が空気清浄装置１０aと異なる。
【００５５】
ファン１９は、空気清浄装置１０ｂの外部から空気清浄装置１０ｂの内部に空気を導くための装置である。ファン１９は、ダクト１３の吸気口１３ａに取り付けられ、空気の送出を行うことにより、吸気口１３ａを通じてダクト１３内に空気を取り込む。また、ファン１９は、遠心分離器１４によって塵が分離された気体を空気清浄装置１０の外部に排出する。ファン１９は、具体的には、例えば、遠心ファンなどである。
【００５６】
このようなファン１９は、ファン１６だけでは吸引力が十分でない場合などに有用である。
【００５７】
入力受付部２０は、ユーザの入力を受け付ける。入力受付部２０は、例えば、除菌効果（オゾン濃度）の強、中、弱を切り替える押しボタンなどである。強、中、弱のそれぞれには、例えば、排気口１４ｃにおけるオゾン濃度が０．１ｐｐｍ以上０．５ｐｐｍ以下の範囲で３段階（例えば、０．１ｐｐｍ、０．３ｐｐｍ、０．５ｐｐｍの３段階）に変化するようにパラメータ（電圧値）が割り当てられ、割り当てられたパラメータは、図示されない記憶部に記憶されている。制御部１２は、記憶部を参照することにより、入力受付部２０への入力に応じて、オゾンの発生量を制御する。記憶部は、具体的には半導体メモリなどである。
【００５８】
また、入力受付部２０には、オゾン濃度を自動制御にするためのボタンが含まれ、このボタンが押下されると、制御部１２は、センサ１７のセンシング結果に応じて、オゾンの発生量を制御する。つまり、ユーザは、オゾン濃度をマニュアル制御するか自動制御するかを切り替えることができる。
【００５９】
上記のような入力受付部２０によれば、制御部１２は、ユーザの入力に応じてオゾンの発生量を制御することができる。
【００６０】
（実施の形態２）
上記実施の形態１では、空気清浄装置は、第二構造体として遠心分離器１４を備えたが、第二構造体は、流路を通る空気及びオゾンの混合を促進できるのであればその他の態様であってもよい。以下、遠心分離器１４以外の態様の第二構造体を備える空気清浄装置について説明する。図４は、実施の形態２に係る空気清浄装置の構成を示す概略図である。なお、以下の実施の形態２の説明では、上記実施の形態１で説明された事項については詳細な説明が省略される場合がある。
【００６１】
図４に示されるように、実施の形態２に係る空気清浄装置１０ｃは、第二構造体として、ダクト１３の内壁に立設された、板材２１ａ、板材２１ｂ、板材２１ｃ、及び、板材２１ｄ（以下、複数の板材２１ａ〜２１ｄと記載する）を備える点が空気清浄装置１０と異なる。
【００６２】
複数の板材２１ａ〜２１ｄは、いわゆる邪魔板である。複数の板材２１ａ〜２１ｄは、流路内の空気及びオゾンの流れを部分的に妨げる。言い換えると、ダクト１３によって形成される流路を通る空気及びオゾンは、複数の板材２１ａ〜２１ｄに当たることにより混合される。これにより、オゾン分子と、空気に含まれる菌との衝突確率が高められる。
【００６３】
なお、複数の板材２１ａ〜２１ａのそれぞれは、一方の端部がダクト１３の内壁に接続され、他方の端部が上記一方の端部よりも排気口１３ｂよりに位置するように配置される。このような配置により、吸気口１３ａから排気口１３ｂに向かう気流が、複数の板材２１ａ〜２１ｄとダクト１３の内壁との間に向かわないため、複数の板材２１ａ〜２１ｄとダクト１３の内壁との間に塵が溜まりにくい効果が得られる。
【００６４】
また、複数の板材２１ａ〜２１ｄは、流路を蛇行させることによりダクト１３のサイズを大きくすることなく流路の実質的な長さを延長することができる。したがって、複数の板材２１ａ〜２１ｄは、ダクト１３のサイズを大きくすることなく、空気及びオゾンを十分に混合し、オゾン分子と、空気に含まれる菌との衝突確率を高めることができる。
【００６５】
図４に示される複数の板材２１ａ〜２１ｄの配置（板材の数、及び板材の向き（傾き））は一例である。複数の板材２１ａ〜２１ｄは、流路を通過中の空気及びオゾンを効果的に混合できるように、経験的または実験的に定められた位置に配置されるとよい。板材は、少なくとも１つ設けられればよい。また、複数の板材２１ａ〜２１ｄは、樹脂により形成されてもよいし、金属により形成されてもよい。
【００６６】
なお、空気清浄装置１０ｃは、遠心分離器１４を備えない。したがって、ファン１６は、ダクト１３の排気口１３ｂに取り付けられている。空気清浄装置１０ｃにおいては、センサ１７は、ファン１６（ダクト１３）から排出される気体のオゾン濃度をセンシングする。なお、上述のように、ファン１６に加えて、または、ファン１６に代えて吸気口１３ａにファンが取り付けられてもよい。
【００６７】
以上説明したように、複数の板材２１ａ〜２１ｄによれば、空気及びオゾンが十分に混合される。複数の板材２１ａ〜２１ｄは、オゾン分子と、空気に含まれる菌との衝突確率を高めることができる。つまり、複数の板材２１ａ〜２１ｄによれば、高い除菌効果が得られる。
【００６８】
（効果等）
以上説明したように、上記実施の形態１及び２に係る空気清浄装置（空気清浄装置１０、及び、空気清浄装置１０ａ〜１０ｃ）は、オゾンを発生するための放電に用いられる放電電極１１ａを備える。また、上記実施の形態１及び２に係る空気清浄装置は、放電電極１１ａに加わる電圧を調整することにより放電によるオゾンの発生量を制御する制御部１２を備える。また、上記実施の形態１及び２に係る空気清浄装置は、空気、及び、放電によって発生したオゾンが通る流路を形成するダクト１３と、流路を通る空気及びオゾンの混合を促進する第二構造体とを備える。放電電極１１ａは、電極の一例であり、ダクト１３は、第一構造体の一例である。
【００６９】
このような第二構造体によれば、空気及びオゾンが十分に混合されるため、オゾン分子と、空気に含まれる菌との衝突確率（衝突回数）を高めることができる。つまり、上記実施の形態１及び２に係る空気清浄装置によれば、高い除菌効果が得られる。
【００７０】
上記実施の形態１に係る空気清浄装置（空気清浄装置１０、及び、空気清浄装置１０ａ〜１０ｂ）のように、上記第二構造体は、流路を通過した空気及びオゾンの混合を促進し、かつ、流路を通過した空気に含まれる塵を遠心分離する遠心分離器１４であってもよい。
【００７１】
このように、第二構造体は、例えば、遠心分離器１４であり、遠心分離器１４によれば、空気及びオゾンが十分に混合され、オゾン分子と、空気に含まれる菌との衝突確率を高めることができる。つまり、上記実施の形態１に係る空気清浄装置によれば、高い除菌効果が得られる。
【００７２】
また、上記実施の形態２に係る空気清浄装置（空気清浄装置１０ｃ）のように、第二構造体は、流路内の空気及びオゾンの流れを部分的に妨げる、ダクト１３の内壁に立設された板材（板材２１ａ〜２１ｄ）であってもよい。
【００７３】
これにより、ダクト１３によって形成される流路を通る空気及びオゾンは、複数の板材２１ａ〜２１ｄに当たることにより混合される。言い換えると、上記実施の形態２に係る空気清浄装置は、オゾン分子と、空気に含まれる菌との衝突確率を高めることができる。つまり、上記実施の形態２に係る空気清浄装置によれば、高い除菌効果が得られる。
【００７４】
また、上記実施の形態１及び２に係る空気清浄装置は、さらに、流路を通過した気体が排出される排気口１４ｃ（空気清浄装置１０ｃにおいては排気口１３ｂ）と、排気口１４ｃから排出される気体のオゾン濃度をセンシングするセンサ１７とを備えてもよい。制御部１２は、センサ１７のセンシング結果に応じて、オゾンの発生量を制御してもよい。
【００７５】
これにより、上記実施の形態１及び２に係る空気清浄装置の制御部１２は、オゾンの排出量に応じて、オゾンの発生量を制御することができる。
【００７６】
また、制御部１２は、気体のオゾン濃度が０．１ｐｐｍ以上０．５ｐｐｍ以下となるようにオゾンの発生量を制御してもよい。
【００７７】
これにより、上記実施の形態１及び２に係る空気清浄装置の制御部１２は、空気の除菌が十分でないこと、及び、オゾンが排出され過ぎることを抑制することができる。
【００７８】
また、空気清浄装置１０ａ〜１０ｃのように、空気清浄装置は、さらに、放電によって帯電した、空気に含まれる塵を集めるための集塵電極を備えてもよい。
【００７９】
これにより、空気清浄装置は、空気中の塵を低減することができる。
【００８０】
（その他の実施の形態）
以上、実施の形態１及び２に係る空気清浄装置について、実施の形態に基づいて説明したが、本発明は、上記の実施の形態１及び２に限定されるものではない。
【００８１】
例えば、空気清浄装置が放電電極及び集塵電極を備える場合、放電電極と集塵電極との間で放電が行われることにより、基準電極が省略されてもよい。また、電極以外の金属部材（例えば、金属により形成されたダクト）が基準電極として使用されてもよい。
【００８２】
また、空気清浄装置は、フィルタを備えてもよい。フィルタは、空気清浄装置の内部に導かれた空気中の比較的大きな塵を捕集するための捕集部材である。フィルタとしては、公知のエアフィルタを用いることができる。フィルタとして、例えば、ＨＥＰＡ（Ｈｉｇｈ  Ｅｆｆｉｃｉｅｎｃｙ  Ｐａｒｔｉｃｕｌａｔｅ  Ａｉｒ）フィルタなどが用いられてもよい。
【００８３】
なお、フィルタの取り付け位置は、特に限定されない。フィルタは、ダクトの吸気口、ダクトの排気口、遠心分離器の吸気口、遠心分離器の排気口など、どのような位置に取り付けられてもよい。フィルタは、着脱自在（交換可能）に取り付けられるとよい。
【００８４】
また、上記実施の形態１及び２に係る空気清浄装置は、具体的には、例えば、産業用の、据え置き型の空気清浄装置（集塵装置）として実現される。しかしながら、上記実施の形態１及び２に係る空気清浄装置は、図５に示されるような、家庭用の、可搬型の空気清浄装置として実現されてもよい。図５は、可搬型の空気清浄装置の外観図である。
【００８５】
また、本発明は、上記実施の形態１及び２に係る空気清浄装置を備える電気掃除機として実現されてもよい。図６は、電気掃除機の外観図である。また、本発明は、上記実施の形態に係る空気清浄装置を備えるロボット型掃除機として実現されてもよい。図７は、ロボット型掃除機の外観図である。
【００８６】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【００８７】
１０、１０ａ、１０ｂ、１０ｃ  空気清浄装置
１１ａ  放電電極（電極）
１２  制御部
１３  ダクト（第一構造体）
１３ｂ、１４ｃ  排気口
１４  遠心分離器（第二構造体）
１７  センサ
１８ａ、１８ｃ  集塵電極
２１ａ、２１ｂ、２１ｃ、２１ｄ  板材（第二構造体）
【図１】
2017129330.tif 000003
【図２】
2017129330.tif 000004
【図３】
2017129330.tif 000005
【図４】
2017129330.tif 000006
【図５】
2017129330.tif 000007
【図６】
2017129330.tif 000008
【図７】
2017129330.tif 000009